(57)【要約】【課題】本発明は、ディスク識別情報を規格化された情報として記録する新しい方法を提供することで、その記録されたディスク識別情報によって光ディスクの記録／再生を効率的に行う。また、ディスク内の所定領域にディスク厚さによるディスク種類情報を記録する規格化された方法を提供することで、同一系列のディスク間に相互互換性を提供する。また、上記の記録／再生方法及び装置を提供することで、記録されたディスク識別情報を用いて効率的に光ディスクにデータを記録／再生する。【解決手段】記録媒体に識別情報を記録する方法において、記録媒体の厚さによって識別される記録媒体の種類を識別するための識別情報を前記記録媒体に記録する段階を含んで記録媒体の識別情報記録方法を構成する。【選択図】図１
2007502498.tif 000002
【特許請求の範囲】
【請求項１】
記録媒体に識別情報を記録する方法において、
記録媒体の厚さによって識別される記録媒体の種類を識別するための識別情報を前記記録媒体に記録する段階を含んで構成されることを特徴とする記録媒体の識別情報記録方法。
【請求項２】
前記厚さは、前記記録媒体内の情報領域の厚さであることを特徴とする請求項１に記載の記録媒体の識別情報記録方法。
【請求項３】
前記記録媒体内の前記情報領域の厚さは、クランピング領域と前記情報領域との間の段差によって識別されることを特徴とする請求項２に記載の記録媒体の識別情報記録方法。
【請求項４】
前記種類は、前記段差が０.１２mm未満の記録媒体および前記段差が０.１２mm〜０.４mmの記録媒体に識別されることを特徴とする請求項３に記載の記録媒体の識別情報記録方法。
【請求項５】
前記記録媒体が衝突防止機能を有する場合、前記クランピング領域と前記情報領域との間の段差は、前記厚さによって増加することを特徴とする請求項３に記載の記録媒体の識別情報記録方法。
【請求項６】
前記識別情報は、事前記録領域に記録されることを特徴とする請求項１に記載の記録媒体の識別情報記録方法。
【請求項７】
前記識別情報は、前記記録媒体内の記録可能領域に記録されることを特徴とする請求項１に記載の記録媒体の識別情報記録方法。
【請求項８】
光ディスクに識別情報を記録する方法において、
光ディスクが衝突防止機能を有するかどうかによって識別されるディスク種類を識別するためのディスク識別情報を、前記光ディスクの管理領域に記録する段階を含んで構成されることを特徴とする光ディスクの識別情報記録方法。
【請求項９】
前記光ディスクが衝突防止機能を有するかどうかは、ディスク厚さによって決定されることを特徴とする請求項８に記載の光ディスクの識別情報記録方法。
【請求項１０】
前記衝突防止機能を有する光ディスクのディスク厚さは、前記衝突防止機能を有してない光ディスクよりも薄いことを特徴とする請求項９に記載の光ディスクの識別情報記録方法。
【請求項１１】
前記ディスク厚さは、前記光ディスク内の情報領域の厚さに該当することを特徴とする請求項１０に記載の光ディスクの識別情報記録方法。
【請求項１２】
厚さによって識別される媒体種類を識別するための識別情報を含む管理領域と;
データ領域と；
を含んで構成されることを特徴とする記録媒体。
【請求項１３】
前記識別情報によって前記記録媒体が一般的な記録媒体であるか、または、その一般的な記録媒体よりも薄い厚さを有する新しい記録媒体であるかが識別されることを特徴とする請求項１２に記載の記録媒体。
【請求項１４】
前記厚さは、前記記録媒体内の情報領域の厚さに該当することを特徴とする請求項１３に記載の記録媒体。
【請求項１５】
前記情報領域は、前記管理領域および前記データ領域を含むことを特徴とする請求項１４に記載の記録媒体。
【請求項１６】
前記記録媒体内の前記情報領域の厚さは、クランピング領域と前記情報領域との間の段差によって識別されることを特徴とする請求項１４に記載の記録媒体。
【請求項１７】
前記種類は、前記段差が０.１２mm未満の一般的な記録媒体および前記段差が０.１２mm〜０.４mmの新しい記録媒体に識別されることを特徴とする請求項１６に記載の記録媒体。
【請求項１８】
管理領域と;
データ領域と；
を含んで構成され、
ディスク識別情報を記録するための領域が前記管理領域に提供され、光ディスクが衝突防止機能を有するかどうかによって識別されるディスク種類が前記ディスク識別情報によって識別されることを特徴とする光ディスク。
【請求項１９】
前記光ディスクが衝突防止機能を有するかどうかは、ディスク厚さによって決定されることを特徴とする請求項１８に記載の記録媒体。
【請求項２０】
前記衝突防止機能を有する光ディスクのディスク厚さは、前記衝突防止機能を有してない光ディスクのディスク厚さよりも小さいことを特徴とする請求項１９に記載の記録媒体。
【請求項２１】
前記ディスク厚さは、前記光ディスク内の情報領域の厚さに該当することを特徴とする請求項２０に記載の記録媒体。
【請求項２２】
記録媒体の特定領域から厚さに関連した媒体種類を識別するための識別情報を読み取る段階と;
前記識別された媒体種類に基づいて該当する記録媒体の記録／再生に適した初期設定を行う段階と；
を含んで構成されることを特徴とする記録媒体の記録／再生方法。
【請求項２３】
前記初期設定では、前記識別された種類によって該当する記録媒体の厚さに適した回転数を決定することを特徴とする請求項２２に記載の記録媒体の記録／再生方法。
【請求項２４】
前記回転数はＲＰＭであり、前記初期設定は、前記厚さによって最大のＲＰＭに対して設定することを特徴とする請求項２３に記載の記録媒体の記録／再生方法。
【請求項２５】
前記ディスク厚さに関連した前記媒体種類を識別するための前記識別情報によって、衝突防止媒体および衝突未防止媒体が識別されることを特徴とする請求項２２に記載の記録媒体の記録／再生方法。
【請求項２６】
前記衝突防止媒体は、前記衝突未防止媒体よりも薄いことを特徴とする請求項２５に記載の記録媒体の記録／再生方法。
【請求項２７】
記録媒体にデータを記録したり、記録媒体からデータを再生する方法において、
記録媒体の特定領域に記録される厚さによる記録媒体種類を識別するための識別情報に基づいて、記録媒体の種類を識別する段階と;
前記識別段階の結果としてサーボ動作を制御する段階と；
を含んで構成されることを特徴とする記録媒体のデータ記録または再生方法。
【請求項２８】
前記識別情報によって前記記録媒体が一般的な種類であるか、または、その一般的な記録媒体よりも薄い厚さを有する新しい種類であるかが識別されることを特徴とする請求項２７に記載の記録媒体のデータ記録または再生方法。
【請求項２９】
前記制御段階では、前記識別段階の結果に基づいて前記記録媒体を回転させるサーボ動作を制御することを特徴とする請求項２８に記載の記録媒体のデータ記録または再生方法。
【請求項３０】
前記制御段階では、前記識別段階の結果に基づいて前記記録媒体に焦点を合せるサーボ動作を制御することを特徴とする請求項２８に記載の記録媒体のデータ記録または再生方法。
【請求項３１】
前記識別情報によって前記記録媒体が衝突未防止タイプであるか、または、前記衝突未防止種類よりも厚さが薄い衝突防止タイプであるかが識別されることを特徴とする請求項２７に記載の記録媒体のデータ記録または再生方法。
【請求項３２】
記録命令を伝達する制御部と;
前記記録命令の伝達を受けて、前記伝達を受けた記録命令によって光ディスクの管理領域に記録されたディスク識別情報を読み取り、ディスク厚さに関連したディスク種類を確認し、確認されたディスク種類によって決定されるサーボ環境で記録を行う記録／再生部と；
を含んで構成されることを特徴とする光ディスクの記録／再生装置。
【発明の詳細な説明】
【技術分野】
【０００１】
本発明は、記録媒体に関するもので、詳しくは、記録可能な光ディスクの管理領域内にディスク識別情報を記録する方法及びそれを用いた光ディスク記録／再生方法に関するものである。
【背景技術】
【０００２】
ＨＤ−ＤＶＤとして知られた高密度光記録媒体は、高画質のビデオデータおよび高音質のオーディオデータを記録・保存するのに広用されている。ブルーレイディスク（Ｂｌｕ−ｒａｙ  ｄｉｓｃ）は、次世代ＨＤ−ＤＶＤ技術を代表するものである。
【０００３】
１回記録可能なブルーレイディスク（ｗｒｉｔｅ−ｏｎｃｅ  Ｂｌｕ−ｒａｙ  ｄｉｓｃ：ＢＤ−ＷＯ）のための標準を含めて、ブルーレイディスクの世界標準のための技術仕様が定立されている。一方、１倍速ＢＤ−ＲＥとして知られた、現在議論中の再起録可能なブルーレイディスク（ｒｅｗｒｉｔａｂｌｅ  Ｂｌｕ−ｒａｙ  ｄｉｓｃ）には、一層高い記録速度を有すると予想されるＢＤ−ＲＥディスク（すなわち、２倍速以上のＢＤ−ＲＥ）との互換性が必要である。高い記録速度のための１回記録可能なブルーレイディスク（ＢＤ−ＷＯ）の様々な規格に対しても論議が行われている。高密度光ディスクの高い記録速度に対する効率的な対応方案が切実に要求されており、定立された各規格間の相互互換性が確保されるべきである。
【０００４】
読み取り専用または記録可能な光ディスクの製作者は、使用者が記録／再生するときに用いるディスク種類に適した最適の記録／再生条件を確認できるように、ディスクの種類を使用者に正確に知らせる必要がある。
【０００５】
したがって、規格化された各フォーマットによる多様なディスク種類に関する情報を、ディスク識別情報として使用者に提供する必要がある。
【発明の開示】
【発明が解決しようとする課題】
【０００６】
本発明は、上記した関連技術の限界及び短所による一つ以上の問題点を実質的に解消するためのもので、光ディスクにディスク識別情報を記録する方法を提供する。
【０００７】
本発明の目的は、ディスク識別情報を規格化されたた情報として記録する新しい方法を提供することで、その記録されたディスク識別情報によって光ディスクの記録／再生を効率的に行うことにある。
【０００８】
本発明の他の目的は、ディスク内の所定領域にディスク厚さによるディスク種類情報を記録する規格化された方法を提供することで、同一系列のディスク間に相互互換性を提供することにある。
【０００９】
本発明のさらに他の目的は、記録／再生方法及び装置を提供することで、記録されたディスク識別情報を用いて効率的に光ディスクにデータを記録／再生することにある。
【００１０】
本発明の他の長所、目的及び特徴は、発明の詳細な説明において開示されており、これは、当該技術分野における当業者であれば本発明を実現するに足りる。また、本発明の目的及びその他の長所は、開示された発明の詳細な説明及び特許請求の範囲だけでなく図面によっても実現される。
【課題を解決するための手段】
【００１１】
上記の目的を達成するために、本発明は、記録媒体に識別情報を記録する方法において、記録媒体の厚さによって識別される記録媒体の種類を識別するための識別情報を前記記録媒体に記録する段階を含んで構成されることを特徴とする記録媒体の識別情報記録方法を提供する。
【００１２】
本発明の他の側面によると、光ディスクに識別情報を記録する方法において、光ディスクが衝突防止機能を有するかどうかによって識別されるディスク種類を識別するためのディスク識別情報を、前記光ディスクの管理領域に記録する段階を含んで構成されることを特徴とする光ディスクの識別情報記録方法を提供する。
【００１３】
本発明のさらに他の側面によると、厚さによって識別される媒体種類を識別するための識別情報を含む管理領域と;データ領域と；を含んで構成されることを特徴とする記録媒体を提供する。
【００１４】
本発明のさらに他の側面によると、管理領域と;データ領域と；を含んで構成され、ディスク識別情報を記録するための領域が前記管理領域に提供され、光ディスクが衝突防止機能を有するかどうかによって識別されるディスク種類が前記ディスク識別情報によって識別されることを特徴とする光ディスクを提供する。
【００１５】
本発明のさらに他の側面によると、記録媒体の特定領域から厚さに関連した媒体種類を識別するための識別情報を読み取る段階と;前記識別された媒体種類に基づいて該当する記録媒体の記録／再生に適した初期設定を行う段階と；を含んで構成されることを特徴とする記録媒体の記録／再生方法を提供する。
【００１６】
本発明のさらに他の側面によると、記録媒体にデータを記録したり、記録媒体からデータを再生する方法において、記録媒体の特定領域に記録される厚さによる記録媒体種類を識別するための識別情報に基づいて、記録媒体の種類を識別する段階と;前記識別段階の結果としてサーボ動作を制御する段階と；を含んで構成されることを特徴とする記録媒体のデータ記録または再生方法を提供する。
【００１７】
本発明のさらに他の側面によると、記録命令を伝達する制御部と;前記記録命令の伝達を受けて、前記伝達を受けた記録命令によって光ディスクの管理領域に記録されたディスク識別情報を読み取り、ディスク厚さに関連したディスク種類を確認し、確認されたディスク種類によって決定されるサーボ環境で記録を行う記録／再生部と；を含んで構成されることを特徴とする光ディスクの記録／再生装置を提供する。
【００１８】
上述した本発明の一般的な説明および下記の詳しい説明は、例示的かつ説明的なものであって、特許請求の範囲に記載された本発明に対する付加的な説明を提供するものである。
【発明の効果】
【００１９】
本発明は、高密度光ディスクの管理領域にディスク厚さによるディスク識別情報を記録する多様な規格化された方法を提供することで、その記録された識別情報を用いて光ディスクの記録／再生に効率的に対応できる。
【発明を実施するための最良の形態】
【００２０】
以下、図面を参照して、本発明の実施形態について詳しく説明すれば、次のとおりである。なお、図面全体において同一の構成要素に対しては同一符号を付する。また、説明の便宜上、ブルーレイディスク（ＢＤ：Ｂｌｕ−ｒａｙ  Ｄｉｓｃ）を本発明による光ディスクの例として説明するが、ディスク制御情報が記録された光ディスクを特徴とする本発明の概念は、例えば、読み取り専用ＤＶＤ（ＤＶＤ−ＲＯＭ）および記録可能なＤＶＤ（ＤＶＤ−ＲＡＭ／−ＲＷ／＋ＲＷ／−Ｒ／＋Ｒ)などに同じ方式で適用できる。
【００２１】
併せて、本発明で用いられる用語は、可能な限り現在広く用いられる一般的な用語から選択したが、場合によっては、出願人が任意に選定した用語もあり、その用語の意味は、下記で詳しく説明した。したがって、本発明は、用語自体の単純な名称や意味でない、その選定された該当用語の本来の意味で理解されるべきである。
【００２２】
まず、本発明の説明で用いられた"ディスク識別情報"とは、特定のディスクを他のディスクと区別するための情報を意味する。最近、多様なディスクが登場するにつれて、それらディスクをそれぞれ識別できる情報が必要になってきた。特に、本発明は、ディスク厚さによってディスク種類を識別することを特徴とする。以下、本発明に適用できる各ディスク種類に対し、図１及び図２に基づいて詳しく説明する。
【００２３】
図１は、一般的なディスク種類を示したもので、これをタイプ-１ディスク（Ｔｙｐｅ−１ Ｄｉｓｃ）と称する。説明の便宜上、その中心から外周まで実線に沿って断面を見ると、タイプ-１ディスクは、内周からクランピング領域、情報領域および縁部領域に区分される。クランピング領域は、ディスクの最内周にあるもので、ディスクが記録／再生装置（図８）に装着されると、記録／再生装置内のクランパー（図示せず）に接触してディスクをクランパーに固定させる。縁部領域は、ディスクの最外周にあるもので、ディスクの全体的な強度を維持するために、他の領域よりも厚く形成される。情報領域は、クランピング領域と縁部領域との間にあるもので、ディスク内で有効な情報を実質的に記録するために提供される。
【００２４】
ブルーレイディスクの場合、縁部領域を含めて、ディスクの全ての断面においてディスクの厚さが１.４mmを超えないように規定され、情報領域は、一般的に厚さが約１.２mmである。しかし、ディスクの製作時、情報領域の厚さに誤差が生じることもあり、その許容可能誤差は、クランピング領域と情報領域との間の段差（ＴＨ）が０.１２mm以下を維持するように決定される。
【００２５】
そのような誤差は、ディスク製作によって次のように生じる。まず、クランピング領域および縁部領域は、それぞれ単一物質により形成されるため誤差発生可能性が低い。しかし、情報領域は、カバー層、記録層、基板などの複数の層により構成されるため（図示せず）、これら層は、それぞれ異なる物質により形成される。したがって、各層を形成して一つの情報領域を設けるので、必然的に誤差が生じるようになる。前記許容可能な誤差を越える場合、そのディスクは使用不可能になる。
【００２６】
図２は、本発明に適用できるディスク種類を示した図で、これをタイプ-２ディスク（Ｔｙｐｅ-２  Ｄｉｓｃ）と称する。タイプ-１ディスクと同様に、タイプ-２ディスクは、内周からクランピング領域、情報領域、縁部領域に区分される。クランピング領域は、ディスクの最内周にあるもので、ディスクが記録／再生装置（図８）に装着されると、記録／再生装置内のクランパー(図示せず)に接触してディスクをクランパーに固定させる。縁部領域は、ディスクの最外周にあるもので、ディスクの全体的な強度を維持するために他の領域よりも厚く形成される。情報領域は、クランピング領域と縁部領域との間にあるもので、ディスク内で有効な情報を実質的に記録するために提供される。
【００２７】
ディスクの厚さは、縁部領域を含めて、ディスクの全ての断面において１.４mmを超えないように規定され、情報領域は、一般的に厚さが約１.２mmである。
【００２８】
しかし、図１のタイプ-１ディスクと同様に、情報領域と下部クランピング領域との間の段差（ＴＨ）は、０.１２mm以下を維持する。そして、図２のタイプ-２ディスクの場合、情報領域と上部クランピング領域との間の段差（ＴＨ）は、特殊な目的を達成するために図２のタイプ-１ディスクと異なっている。
【００２９】
すなわち、タイプ-２ディスクは、最小０.１２mmから最大０.４０mmまでの段差マージンを有する。図１のタイプ-１ディスクと比較したとき、図２のタイプ-２ディスクは、情報領域の厚さが異なっている。したがって、タイプ-２ディスクの全体情報領域は、タイプ-１ディスクよりも薄い。
【００３０】
本発明による実施形態を説明するにおいて、便宜上導入した‘上部'クランピング領域とは、ディスクが記録／再生装置（図８）に正常に装着されるとき、その装置内で光線を放出するピックアップの反対側に位置した領域を意味する。また、‘下部'クランピング領域とは、光線が入射する側に位置した領域を意味する。これによって、‘上部'または‘下部'情報という表現も用いられる。
【００３１】
タイプ-２ディスクは、ディスクが誤って装着されるとき、ピックアップとディスクとの間の衝突を防止するために、上部情報領域の形成部分が下部クランピング領域よりも低く設けられる。このようなディスクを、衝突防止ディスク（ｃｏｌｌｉｓｉｏｎ−ｆｒｅｅ  ｄｉｓｃ）と称する。したがって、図１のタイプ-１ディスクは、ピックアップとディスクとの間の衝突を防止する機能を備えておらず、これを衝突未防止ディスク（ｎｏｎ−ｃｏｌｌｉｓｉｏｎ−ｆｒｅｅ  ｄｉｓｃ)と称する。
【００３２】
ブルーレイディスクの場合、データを記録するための記録層が下部領域よりも０.１mmほど高く形成される。したがって、タイプ-１ディスクのような‘衝突未防止ディスク'が上下逆になって記録／再生装置（図８）に装着された場合、ピックアップは、記録層からの反射信号を探すためにフォーカシングサーボ制御を行うが、記録層が反対側にあるためディスク表面と衝突することになる。
【００３３】
しかし、図２の‘衝突防止ディスク'の場合、上下逆になって誤って挿入された場合も、上部情報領域が所定の段差範囲を有して窪んでいるため、ピックアップがフォーカシングサーボを通して所定の高さ以上に上昇しても、ディスク表面との衝突が避けられる。
【００３４】
上述したように、様々な原因および目的で規格が同一であっても、相異なるディスク種類がありえる。しかし、本発明によると、ディスク管理領域に様々なディスク種類を識別するための情報を予め記録することで、記録／再生部（図８の‘１０')がその記録された情報を参照して記録／再生を円滑に行えるようになる。
【００３５】
すなわち、本発明は、ディスク種類が‘衝突防止ディスク'であるか、‘衝突未防止ディスク'であるかのみならず、様々な原因から生じるディスク厚さの差によってディスク種類を識別するものである。
【００３６】
具体的に、ディスク種類をディスク厚さによって識別する理由は、ディスクの回転速度（または回転数）（ＲＰＭ）に多くの影響を及ぼすディスク重さがディスク厚さによって変わるためである。厚いディスクよりも薄いディスクの最大回転速度に一層多くの制限が加えられることで、最大回転速度は、各ディスク種類によって異なるように設定される。
【００３７】
図３及び図４は、本発明による光ディスクを示した構造図である。読み取り専用ディスクまたは記録可能な光ディスク（すなわち、再記録可能または１回記録可能な光ディスク（ｒｅｗｒｉｔａｂｌｅ  ｏｒ  ｗｒｉｔｅ−ｏｎｃｅ  ｏｐｔｉｃａｌ  ｄｉｓｃ））は、本発明に適用可能な光ディスクになるのに足りる。以下、説明の便宜上、記録可能なブルーレイディスク（ＢＤ）を例に挙げて説明する。
【００３８】
図３は、本発明による一つの記録層を有する単一層ディスクを示した構造図である。
【００３９】
図３を参照すると、リードイン領域が光ディスクの内周領域上に管理領域として提供される反面、リードアウト領域は、光ディスクの外周領域上に管理領域として提供される。具体的に、光ディスクの内周領域は、事前記録領域（ｐｒｅｒｅｃｏｒｄｅｄ  ａｒｅａ）と再記録可能または１回記録可能な領域とに分けられる。
【００４０】
事前記録領域は、ディスクの製作過程中にデータを予め記録しておいた領域であり、使用者またはシステムは、その事前記録領域にデータ記録を行うことができない。再記録可能／１回記録可能なブルーレイディスク（ＢＤ−ＲＥ／ＷＯ）では、事前記録領域をＰＩＣ（ｐｅｒｍａｎｅｎｔ  ｉｎｆｏｒｍａｔｉｏｎ  ａｎｄ  ｃｏｎｔｒｏｌ  ｄａｔａ）領域と称する。ＰＩＣ領域には、ディスク記録に必要な情報としてのディスク情報（Ｄｉｓｃ  Ｉｎｆｏｒｍａｔｉｏｎ）(以下、‘ＤＩ'と称する)が記録される。
【００４１】
データ領域には、使用者の実際データが記録される使用者データ領域と、欠陥領域の発生時、これに取り替えられるスペア領域（ＩＳＡ、ＯＳＡ）と、が提供される。特に、ＢＤ−ＷＯのような１回記録可能な光ディスクには、欠陥管理及び一般管理に関する情報を記録するＴＤＭＡ（Ｔｅｍｐｏｒａｒｙ  Ｄｅｆｅｃｔ  Ｍａｎａｇｅｍｅｎｔ  Ａｒｅａ）が提供される。再記録可能なＢＤ（ＢＤ−ＲＥ）の場合、ＴＤＭＡは不要な領域であるため指定保留領域（ｒｅｓｅｒｖｅｄ  ａｒｅａ）として残される。
【００４２】
本発明の説明において‘ディスク情報’とは、ディスク記録／再生のための様々な情報を含む情報または領域を意味する。ディスク情報とは、ディスク製作者が使用者に提供する事前記録またはエンボスされた領域内の情報に対する一般名称である。ディスク情報は、事前記録領域に提供されるだけでなく、使用者の要請によって記録可能領域にも提供される。事前記録またはエンボスされた領域内のディスク情報は、例えば、記録可能領域にも複写されうる。ブルーレイディスクに適用可能な‘ディスク情報’は、ＤＶＤ−ＲＯＭ／−ＲＡＭ／−ＲＷ／＋ＲＷ／−Ｒ／＋Ｒなどでは‘物理的フォーマット情報'とも称する。
【００４３】
したがって、本発明の技術的思想は、ＤＶＤ−ＲＯＭ／−ＲＡＭ／−ＲＷ／＋ＲＷ／−Ｒ／＋Ｒでの‘物理的フォーマット情報'と同一に適用できることが明らかである。以下、説明の便宜上、ブルーレイディスク（ＢＤ）の場合に該当する‘ディスク情報（以下、ＤＩと称する)'を例に挙げて本発明を説明する。
【００４４】
本発明は、ディスク厚さによるディスク種類を識別するための多様な識別情報を事前記録領域に記録するものである。事前記録領域に記録された管理情報は、記録または再生時に考慮するために常に読み取られる。したがって、事前記録領域は、新しいディスク識別情報を規格化された情報として提供するのに適している。
【００４５】
特に、ＢＤ−ＲＥ／ＷＯの場合、事前記録領域としてのＰＩＣ領域は、２位相化高周波変調信号（ｂｉｐｈａｓｅｄ  ｈｉｇｈ−ｆｒｅｑｕｅｎｃｙ  ｍｏｄｕｌａｔｅｄ  ｓｉｇｎａｌｓ）で記録され、その領域の高周波変調信号は、特定の再生方式によって再生され、この再生によって情報を取得するようになる。このとき、事前記録領域内の記録方法は、対応するディスク規格（例えば、ＤＶＤ規格、ＣＤ規格など）によって異に適用されるべきである。
【００４６】
図４は、図３に示したディスクのＰＩＣ領域の構造を示した図である。これは、上述したように、高周波に変調されたＰＩＣ領域内の情報を全て取得したとき、図４のＰＩＣ領域の構造のように情報を再配置できることを意味する。
【００４７】
以下、ＰＩＣ領域内のディスク情報（ＤＩ）を構成する方法を詳しく説明する。ＢＤ−ＲＥ／ＷＯにおいて‘一つのクラスタ’は、最小記録単位を示し、５４４クラスタが集まって一つの上位記録単位としての断片を形成し、総５個の断片が集まってＰＩＣ領域を形成する。ディスク情報は、最初の断片（ＩＦ０）の先頭クラスタに記録される。ディスク情報は、該当の光ディスクに適用可能な記録倍速及び記録層別に複数個の情報として記録され、一つのディスク情報は、１１２バイトによって構成される。１１２バイトによって構成されたディスク情報を、ディスク情報フレーム（ＤＩ  ｆｒａｍｅ）と称する。また、残りの断片の先頭クラスタにも同一内容のディスク情報を繰り返して記録することで、ディスク情報の損失に対応できる。
【００４８】
各ディスク情報内には、該当の記録層を示す情報と、記録倍速を示す情報と、その記録倍速に対応する記録関連技法情報（ｗｒｉｔｅ  ｓｔｒａｔｅｇｙ（ＷＳ）ｉｎｆｏｒｍａｔｉｏｎ）が記録されている。また、ディスク種類識別情報も、ディスク情報内に記録されている。したがって、該当の光ディスクの記録または再生にこれら情報を活用することで、ディスク種類別または記録倍速別に最適に記録パワーを提供できるようになる。
【００４９】
本発明によってディスク情報内にディスク種類情報を含む識別情報を記録する方法の多様な実施形態に対し、図５乃至図９を参照して詳しく説明する。
【００５０】
図５は、本発明の一実施形態によるディスク識別情報の記録を示した図である。
【００５１】
図５を参照すると、ディスク内に複数のディスク情報が記録され、その順序を決定するように複数のディスク情報にそれぞれの一連番号が与えられ、その順序は１バイトで記録される。例えば、その情報をディスク情報内に５番目のバイトで記録しておき、これを"ＤＩブロック内のＤＩフレーム一連番号（ＤＩ  ｆｒａｍｅ  ｓｅｑｕｅｎｃｅ  ｎｕｍｂｅｒ  ｉｎ  ＤＩ  ｂｌｏｃｋ)"フィールドと命名し、簡略的に"００ｈ、０１ｈ、０２ｈ、０３ｈ…"などで表示した。すなわち、５番目のバイトの情報が"００ｈ"であると最初のディスク情報を意味し、５番目のバイト情報が"０７ｈ"であると８番目のディスク情報を意味する。
【００５２】
ディスク情報内の特定領域（すなわち、Ｌ番目〜１１１番目のバイトで"記録関連技法パラメータ（Ｗｒｉｔｅ  Ｓｔｒａｔｅｇｙ  ｐａｒａｍｅｔｅｒｓ)"フィールドと命名した領域）には、該当のディスク情報が示す倍速と連動する記録関連技法（ＷＳ）を記録しておく。ディスク情報内のさらに他の特定領域（すなわち、Ｎ番目のバイトで"ディスク種類"フィールドと命名した領域）には、ディスク厚さによるディスク種類を識別できる識別情報を記録しておく。
【００５３】
Ｎ個のディスク種類がある場合、前記識別情報には、それぞれのディスク種類ごとに特定の認識値を割り当てる。例えば、特定の認識値が"００００  ０００１ｂ"であると最初のディスク種類を意味し（Ｔｙｐｅ-１)、"００００  ００１０ｂ"であると２番目のディスク種類を意味する（Ｔｙｐｅ-２)。また、特定の認識値がＮの値によって"ＸＸＸＸ  ＸＸＸＸｂ"であると、Ｎ番のディスク種類（Ｔｙｐｅ−Ｎ）を意味する。
【００５４】
したがって、ディスク厚さと連動する多様なディスク種類を規格化された情報としてディスク内に記録しておくことが可能になる。図５においてディスクタイプ-１、タイプ-２、…タイプ-Ｎは、一般的な場合を概念的に説明するために示したもので、図１及び図２でのディスクタイプ-１、タイプ-２を含むという点は明らかである。
【００５５】
図６は、本発明の他の実施形態によるディスク識別情報の記録を示した図で、図１及び図２のように、クランピング領域および情報領域が形成される領域間の段差（ＴＨ）を用いてディスク種類を区別することを示している。
【００５６】
図６を参照すると、ディスク情報のＮ番目のバイトである"ディスク厚さ"フィールドが"００００  ０００１ｂ"であると、前記段差（ＴＨ）が０.１２mm以下である場合のディスクを意味し、"００００  ００１０ｂ"であると、前記段差（ＴＨ）が最小０.１２mmより大きく、最大０.４mmより小さいディスクを意味すると定義できる。
【００５７】
したがって、一層段差（ＴＨ）を細分してディスク種類を表示することも可能である。
その場合、Ｎ番目のバイトに新しい識別情報を追加する。５番目のバイトおよびＬ番目〜１１１番目のバイトは、図５の場合と同一であるのでその説明を省略する。
【００５８】
図７は、本発明のさらに他の実施形態によるディスク識別情報の記録を示した図で、図１及び図２に示すように、ブルーレイディスクに衝突防止機能があるかどうかによってディスクを区別することを示している。
【００５９】
図７を参照すると、ディスク情報のＮ番目のバイトである"ディスク厚さ"フィールドが"００００  ０００１ｂ"であると、衝突防止機能のない"衝突未防止ディスク"を意味し、"００００  ００１０ｂ"であると、衝突防止機能のある"衝突防止ディスク"を意味すると定義できる。
【００６０】
したがって、図５乃至図７に示すように、ディスク厚さと連動するディスク種類情報は、様々な方式でディスク情報内に記録されうる。以下、図８及び図９では、上記のように記録されたディスク情報を用いた光ディスクの記録／再生方法及び装置に対して説明する。
【００６１】
図８は、本発明に適用できる光ディスク記録／再生装置を示したブロック図である。
【００６２】
図８を参照すると、本発明による記録／再生装置は、光ディスクに対して記録／再生を行う記録／再生部１０と、この記録／再生部１０を制御する制御部２０と、から構成される。
【００６３】
制御部２０は、特定領域に対する記録または再生命令を下し、記録／再生部１０は、制御部２０の命令によって特定領域に対する記録／再生を行う。前記装置が制御部２０を含んでいない場合、マイコン１６が制御部２０の機能を行えるように前記装置を構成できる。
【００６４】
以下、図８及び図９を参照して、本発明による光ディスクの記録／再生過程に対して詳しく説明する。
【００６５】
まず、光ディスクが記録／再生装置に装着されると、ディスク内の全てのディスク管理情報が読み取られ、記録／再生部１０のメモリ１５に一時保存される。光ディスクの記録／再生時、多様な種類のディスク管理情報が活用される。特に、メモリに保存される管理情報には、本発明のディスク情報が含まれ、これによって、ディスク情報内に記録されたディスク種類情報も読み取られてメモリに保存される。併せて、前記ディスク種類情報は、ディスク厚さと連動するものである。ディスク種類が決定されると、そのディスク種類に適した記録／再生環境の初期化が行われるようになる。
【００６６】
すなわち、ディスク厚さが変わると、ディスクの重さが変わってディスク回転数または回転速度（すなわち、ＲＰＭ）に影響を及ぼすようになる。これによって、厚いディスクより薄いディスクの最大回転速度に一層多くの制限が加えられる。このような点を考慮した上で、ディスク種類によって最大回転速度を異に設定する方式で初期化を行える。
【００６７】
例えば、ディスク厚さの薄いディスク（Ｔｙｐｅ-２）が装着されると、マイコン１６は、そのディスクの最大回転速度を予め設定しておき、これをサーボ１４の制御などに活用するようになる。
【００６８】
ディスク種類ごとに初期設定が完了すると、記録／再生部１０は、制御部２０の記録／再生命令によって記録／再生を行うようになる。特に、記録を行う場合、記録／再生部１０は、ディスク情報内の記録関連技法（ＷＳ）およびディスク種類（すなわち、ディスク厚さによるディスク種類別に初期設定された最大回転速度（ＲＰＭ)）を参照して一層効率的な記録が可能になる。
【００６９】
したがって、本発明は、高密度光ディスクの管理領域にディスク厚さによるディスク識別情報を記録する多様な規格化された方法を提供することで、その記録された識別情報を用いて光ディスクの記録／再生に効率的に対応できるようになる。
【００７０】
本発明は、当業者によって多様に修正および変更可能である。また、本発明は、特許請求の範囲およびそれに均等したものに属する全ての修正及び変更を含んでいる。
【図面の簡単な説明】
【００７１】
【図１】本発明を記述するための第１のディスクタイプを示した構造図である。
【図２】本発明を記述するための第２のディスクタイプを示した構造図である。
【図３】本発明に適用可能な単一層ディスクを示した図である。
【図４】本発明のディスク識別情報が記録される管理領域を示した図である。
【図５】本発明の一実施形態によるディスク識別情報の記録を示した図である。
【図６】本発明の他の実施形態によるディスク識別情報の記録を示した図である。
【図７】本発明のさらに他の実施形態によるディスク識別情報の記録を示した図である。
【図８】本発明に適用可能な光ディスク記録／再生装置を示したブロック図である。
【図９】本発明によるディスク識別情報を用いる記録方法を示したフローチャートである。
【図１】
2007502498.tif 000003
【図２】
2007502498.tif 000004
【図３】
2007502498.tif 000005
【図４】
2007502498.tif 000006
【図５】
2007502498.tif 000007
【図６】
2007502498.tif 000008
【図７】
2007502498.tif 000009
【図８】
2007502498.tif 000010
【図９】
2007502498.tif 000011
【国際調査報告】
2007502498.tif 000012
2007502498.tif 000013